(57)【要約】【課題】  装置を大型化せずに同時に装着可能なマガジン数を増加させた画像記録材料の供給装置及び画像記録装置を低コストで提供する。【解決手段】  幅サイズが３０５ｍｍ以下の印画紙を収納する第１マガジン３０が装着される第１マガジン台５０と、幅サイズが１５７ｍｍ以下の印画紙を収納し、第１マガジン３０よりも幅狭の第２マガジン３５が、搬送路１３の幅と平行な方向に２個並べて装着される第２マガジン台５１，５２とを備えている。第１マガジン台５０及び第２マガジン台５１，５２は、搬送路１３の幅方向に垂直な方向に並べられて多段に配置されている。このため、同時に多数のマガジンを装着することが可能であり、マガジン交換の回数を減らすことができる。【選択図】        図３
2005194053.tif 000002
【特許請求の範囲】
【請求項１】
ロール状に巻かれた画像記録材料を収納するマガジンを着脱自在に保持し、前記マガジンから前記画像記録材料を引き出して、搬送路に送り出す画像記録材料の供給装置において、
第１マガジンが着脱自在に装着される第１装着部と、前記第１マガジンよりも幅狭の複数の第２マガジンが前記搬送路の幅に平行な第１方向に沿って並べられて着脱自在に装着される第２装着部とを備え、前記第１装着部と前記第２装着部は、前記第１方向に垂直な第２方向に沿って並べられることを特徴とする画像記録材料の供給装置。
【請求項２】
前記第１装着部及び前記第２装着部は、前記第１方向及び前記第２方向に垂直な第３方向に並べられることを特徴とする請求項１記載の画像記録材料の供給装置。
【請求項３】
前記第１マガジン及び前記第２マガジンは、それぞれ、ロール状に巻かれた前記画像記録材料を回転可能に支持する支持軸を備え、前記支持軸は前記第１方向に延びていることを特徴とする請求項１または２記載の画像記録材料の供給装置。
【請求項４】
前記第１装着部及び前記第２装着部はユニット化されており、前記第１装着部及び前記第２装着部を保持する保持する保持部材から取り外し可能にされていることを特徴とする請求項１ないし３のいずれか記載の画像記録材料の供給装置。
【請求項５】
請求項１ないし請求項４のいずれか記載の画像記録材料の供給装置を備え、前記画像記録材料の供給装置から供給された前記画像記録材料に画像を記録する画像記録装置において、
前記画像記録材料に画像を形成する画像形成手段と、前記画像記録材料が前記画像形成手段に搬送される前に、前記画像記録材料を前記搬送路上で前記第１方向に沿って移動させる幅方向移動手段とを備えていることを特徴とする画像記録装置。
【請求項６】
前記複数の第２マガジンに収納されている前記画像記録材料の幅が異なる場合、前記幅方向移動手段により、第２マガジンから引き出された前記画像記録材料を前記搬送路の中央に移動させて前記画像形成手段に搬送することを特徴とする請求項５記載の画像記録装置。
【請求項７】
前記複数の第２マガジンに収納されている前記画像記録材料の幅が異なる場合、前記幅方向移動手段により、各々の第２マガジンから引き出された前記画像記録材料を前記搬送路上で複数列に振分けて、前記画像形成手段に搬送することを特徴とする請求項５記載の画像記録装置。
【請求項８】
前記複数の第２マガジンに収納されている前記画像記録材料の幅が同一の場合、前記幅方向移動手段により、各々の第２マガジンから引き出された前記画像記録材料の間隔を所定間隔に詰めて、前記画像形成手段に向けて複数列搬送することを特徴とする請求項５ないし７のいずれか記載の画像記録装置。
【請求項９】
前記複数の第２マガジンから複数の前記画像記録材料が引き出され、その複数の前記画像記録材料の前記搬送路上での占有幅が、前記画像形成手段の画像形成可能最大幅以内の場合、前記幅方向移動手段により複数の前記画像記録材料の間隔を変更せずに、前記画像形成手段に向けて複数列搬送することを特徴とする請求項５ないし８のいずれか記載の画像記録装置。
【発明の詳細な説明】
【技術分野】
【０００１】
本発明は、画像記録材料を収納するマガジンを着脱自在に保持し、搬送路に画像記録材料を送り出す画像記録材料の供給装置、及びこの画像記録材料の供給装置を備えた画像記録装置に関する。
【背景技術】
【０００２】
写真現像所では、プリンタプロセッサなどの写真プリンタが使用されている。このようなプリンタプロセッサでは、画像記録材料である印画紙が収納されたマガジンが着脱自在に装着される。プリンタプロセッサは、マガジンから引き出された印画紙に画像を焼き付け、現像処理、乾燥処理等の処理を施すことにより画像記録を行っている。このようなマガジンは、装填される印画紙の最大幅のサイズに合わせて大きさが決定されている。このため、マガジンのサイズが大きくなり、画像記録装置の画像記録材料供給装置に同時に装着可能なマガジンの数は、１，２個程度であった。このため、マガジンの交換作業を行わずに画像記録装置で記録できる画像記録材料のサイズは、１，２種類であり、装着されていないサイズの画像記録材料で記録する場合には、マガジンを交換する作業が必要であった。
【０００３】
このような問題を解決するために、搬送路による画像記録材料の搬送方向に垂直な方向に画像記録材料を給送するマガジンを備えた画像記録装置が知られている（例えば、特許文献１参照）。また、このようなマガジンを搬送路の両側に配置したり、搬送方向に沿って複数並べて配置した画像記録装置が知られている（例えば、特許文献２参照）。
【０００４】
【特許文献１】特許第２８２２８４２号公報
【特許文献２】特許第３２９６０７３号公報
【発明の開示】
【発明が解決しようとする課題】
【０００５】
しかしながら、上記特許文献１，２に記載の画像記録装置では、搬送路の両側あるいは片側にマガジンを配置しているため、装置が大型化するという問題があった。また、特許文献１に記載の画像記録装置は、搬送方向に垂直な方向に搬送される画像記録材料に対処するため、搬送方向切替え手段が備えられており、装置の構造が複雑となり、製造コストが高くなるという問題があった。さらに、特許文献２に記載の画像記録装置では、搬送方向に沿って多数のマガジンを配置することにより、同時に装着できるマガジンの個数を増加させることが可能であるが、搬送路が長くなって装置が大型化するという問題があった。
【０００６】
本発明は上記事情に鑑みてなされたものであり、装置を大型化せずに同時に装着可能なマガジン数を増加させた画像記録材料の供給装置、及び画像記録装置を低コストで提供することを目的とする。
【課題を解決するための手段】
【０００７】
上記課題を解決するために、本発明の画像記録材料の供給装置は、ロール状に巻かれた画像記録材料を収納するマガジンを着脱自在に保持し、前記マガジンから前記画像記録材料を引き出して、搬送路に送り出す画像記録材料の供給装置であり、第１マガジンが着脱自在に装着される第１装着部と、前記第１マガジンよりも幅狭の複数の第２マガジンが前記搬送路の幅に平行な第１方向に沿って並べられて着脱自在に装着される第２装着部とを備え、前記第１装着部と前記第２装着部は、前記第１方向に垂直な第２方向に沿って並べられることを特徴とするものである。
【０００８】
前記第１装着部及び前記第２装着部は、前記第１方向及び前記第２方向に垂直な第３方向に並べられることが好ましい。
【０００９】
前記第１マガジン及び前記第２マガジンは、それぞれ、ロール状に巻かれた前記画像記録材料を回転可能に支持する支持軸を備え、前記支持軸は前記第１方向に延びていることが好ましい。
【００１０】
前記第１装着部及び前記第２装着部はユニット化されており、前記第１装着部及び前記第２装着部を保持する保持する保持部材から取り外し可能にされていることが好ましい。
【００１１】
上記課題を解決するために、本発明の画像記録装置は、前述の画像記録材料の供給装置を備え、前記画像記録材料の供給装置から供給された前記画像記録材料に画像を記録する画像記録装置であり、前記画像記録材料に画像を形成する画像形成手段と、前記画像記録材料が前記画像形成手段に搬送される前に、前記画像記録材料を前記搬送路上で前記第１方向に沿って移動させる幅方向移動手段とを備えていることを特徴とするものである。
【００１２】
前記複数の第２マガジンに収納されている前記画像記録材料の幅が異なる場合、前記幅方向移動手段により、第２マガジンから引き出された前記画像記録材料を前記搬送路の中央に移動させて前記画像形成手段に搬送しても良い。
【００１３】
前記複数の第２マガジンに収納されている前記画像記録材料の幅が異なる場合、前記幅方向移動手段により、各々の第２マガジンから引き出された前記画像記録材料を前記搬送路上で複数列に振分けて、前記画像形成手段に搬送しても良い。
【００１４】
前記複数の第２マガジンに収納されている前記画像記録材料の幅が同一の場合、前記幅方向移動手段により、各々の第２マガジンから引き出された前記画像記録材料の間隔を所定間隔に詰めて、前記画像形成手段に向けて複数列搬送しても良い。
【００１５】
前記複数の第２マガジンから複数の前記画像記録材料が引き出され、その複数の前記画像記録材料の前記搬送路上での占有幅が、前記画像形成手段の画像形成可能最大幅以内の場合、前記幅方向移動手段により複数の前記画像記録材料の間隔を変更せずに、前記画像形成手段に向けて複数列搬送しても良い。
【発明の効果】
【００１６】
本発明の画像記録材料の供給装置及び画像記録装置によれば、異種幅の画像記録材料を収納する多数のマガジンを同時に装着することにより、使用する画像記録材料の幅サイズを変更する場合でも、マガジンの交換作業をせずに幅サイズを変更することができるので、オペレータの負担を軽減することができる。また、同一幅の画像記録材料を収納する多数のマガジンを同時に装着することにより、長時間大量のプリント処理をマガジン交換なしで行うことが可能である。
【００１７】
さらに、画像記録材料を幅方向に移動させる幅方向移動手段を設けたので、複数のマガジンから引き出された画像記録材料を画像形成手段に向かって複数列で搬送させることが可能であり、画像記録処理を効率よく行うことができる。
【発明を実施するための最良の形態】
【００１８】
図１は、画像記録装置であるプリンタプロセッサの側面概略図である。プリンタプロセッサ１０は、画像記録材料として感光材料である印画紙を用いる。このプリンタプロセッサ１０は、本体内に印画紙を供給する供給部１１と、印画紙を搬送する搬送路１２，１３と、搬送路１３上で印画紙を幅方向に移動させる幅方向移動手段である振分部１４と、印画紙に露光を行って画像を形成する画像形成手段である露光部１５と、露光済みの印画紙に現像処理を施す現像処理部１６と、現像処理後に印画紙の乾燥を行う乾燥部１７と、記録済みの印画紙が集積される集積部１８と、プリンタプロセッサ１０全体の制御を行うシステムコントローラ１９とから構成されている。また、搬送路１２，１３は、図示せぬガイド部材と、搬送ローラ対２０，２１とで構成され、各部１１〜１８に印画紙を搬送する。なお、図示しないが、現像処理部１６、及び乾燥部１８内にも搬送ローラ対が複数設けられており、搬送路１３に沿って印画紙の搬送を行う。
【００１９】
また、システムコントローラ１９には、オペレータによって操作されるキー入力部２２と、各種設定画面等を表示するディスプレイ２３とが接続されている。システムコントローラ１９は、キー入力部２２を介してオペレータからの指令を取得して、この指令に基づいて各部１１〜１８の制御を行って、印画紙に各種処理を施すことにより画像を記録する。
【００２０】
供給部１１には、印画紙を収納するマガジンが着脱自在に装着され、マガジン本体のサイズが異なる２種類のマガジンが装着可能にされている。第１マガジン３０は、図２に示すように、印画紙３１がロール状に巻かれた印画紙ロール３２と、この印画紙ロール３２を収納するマガジン本体３３と、マガジン本体３３内で印画紙ロール３２を回転可能に支持する支持軸３４とを備えている。この支持軸３４は、第１マガジン３０が供給部１１に装着された際に、搬送路１３の幅に平行になるように配置されている。このマガジン本体３３は、最大幅の印画紙である３０５ｍｍ（１２インチ）の幅サイズの印画紙に合わせて設計されており、マガジン本体３３の幅は、マガジン本体３３の厚みや、記録紙ロール３２を保持するホルダ等により、印画紙３１の幅サイズ（３０５ｍｍ）＋１００ｍｍ程度、つまり約４００ｍｍである。
【００２１】
また、第２マガジン３５は、第１マガジン３０と同様の構成であり、印画紙３６がロール状に巻かれた印画紙ロール３７と、この印画紙ロール３７を収納するマガジン本体３８と、マガジン本体３８内で印画紙ロール３７を回転可能に支持する支持軸３９とで構成されている。この支持軸３９は、第２マガジン３５が供給部１１に装着された際に、搬送路１３の幅に平行になるように配置されている。マガジン本体３８は、幅サイズ１５２ｍｍのＫＧサイズ以下の印画紙に合わせて設計されており、マガジン本体３８の幅は、約２５０ｍｍ程度であり、第１マガジン３０の約半分の大きさである。このため、第１マガジン３０を装着するスペースに、第２マガジン３５を幅方向に２つ並べて装着することが可能である。
【００２２】
また、第１マガジン３０に収納されている印画紙３１は約９０ｍの長さを有しており、印画紙ロール３２の外径ＯＤは、約２００ｍｍにされている。また、第２マガジン３５に収納されている印画紙３６は約１８０ｍの長さを有しており、印画紙ロール３７の外径ＯＤは、約３００ｍｍにされている。このため、第１マガジン３０は、幅方向の断面形状を第２マガジン３５よりも小さく設計されている。
【００２３】
また、図２に示すように、第１マガジン３０の前面側には、ＩＤチップ４０が取り付けられており、マガジン本体３３内に装填されている印画紙３１の種別、幅サイズ、残量、使用開始日等の情報が記憶されている。また、第２マガジン３５の前面側には、第１マガジン３０と同様に、ＩＤチップ４１が取り付けられている。
【００２４】
図３に示すように、供給部１１は、第１マガジン３０が着脱自在に装着される第１装着部である第１マガジン台５０と、２つの第２マガジン３５が着脱自在に装着される第２装着部である第２マガジン台５１，５２と、第１マガジン台５０及び第２マガジン台５１，５２を保持する保持部材である保持台５３ａ，５３ｂ，５３ｃとを備えている。第２マガジン台５１には、搬送路１３の幅方向に平行な方向（第１方向）に沿って並べられた第２マガジン３５が、第１装着位置５１ａ及び第２装着位置５１ｂに装着される。また、第２マガジン台５２も同様に、２個のマガジン３５が第１装着位置５２ａ及び第２装着位置５２ｂに装着される。さらに、第１マガジン台５０及び第２マガジン台５１，５２は、内部にカッタ５５を備えており、各マガジンから引き出された印画紙をプリントサイズに合わせて定められた長さにカットする。
【００２５】
保持台５３ａ，５３ｂ，５３ｃは、鉛直方向に３段並べて配置されている。下段に配置されている保持台５３ｃには、第１装着部である第１マガジン台５０が保持されている。また、上段に配置されている保持台５３ａには、第２装着部である第２マガジン台５１が保持されている。さらに、中段に配置されている保持台５２ｃには、第２装着部である第２マガジン台５２が保持されている。このため、第１装着部５０及び第２装着部５１，５２は、搬送路１３に垂直な方向、つまり、搬送路１３の幅方向に平行な第１方向に垂直な方向（第２方向）に沿って、３段に並べられている。
【００２６】
また、保持台５３ａ，５３ｂ，５３ｃは、システムコントローラ１９に接続されており、第１及び第２マガジン３０，３５が第１マガジン台５０、及び第２マガジン台５１，５２に装着されると、ＩＤチップ４０，４１内の情報が、第１マガジン台５０、第２マガジン台５１，５２、及び保持台５３ａ，５３ｂ，５３ｃを介してシステムコントローラ１９に送信される。これにより、システムコントローラ１９は、前述の情報を取得するとともに、第１及び第２マガジン３０，３５の装着位置を検出する。
【００２７】
また、振分部１４は、供給部１１から供給されて搬送路１３上を搬送されている印画紙を幅方向に移動することが可能であり、振分部１４は、露光部１５の露光領域内の最適な位置、例えば露光領域の中央に印画紙が搬送されるように、搬送路１３上でシート状の印画紙を幅方向に移動させる。
【００２８】
上記構成のプリンタプロセッサ１０の作用について図３〜図５を用いて説明を行う。システムコントローラ１９は、キー入力部２２を介してオペレータから画像記録の指令を取得すると、第１及び第２マガジン台５０，５１，５２に装着されている第１及び第２マガジン３０，３５から、印画紙３１，３６の種別、幅サイズ、残量、使用開始日等の情報を取得し、さらに、それらのマガジン３０，３５の装着位置を検出する。
【００２９】
システムコントローラ１９は、前述の情報やマガジン３０，３５の装着位置、及び記録する画像サイズに基づいて、どのマガジンから印画紙を供給させるかを決定して、対応するマガジンから印画紙を供給させる。例えば、上段に配置された第２マガジン台５１に装着された２つの第２マガジン３５から印画紙３６を供給させる場合について以下に説明を行う。
【００３０】
第２マガジン台５１に装着された２つの第２マガジン３５に、幅サイズが異なる印画紙３６が装填されている場合、例えば、第２装着位置５１ｂに装着された第２マガジン３５から印画紙３６が引き出されて、カッタ５５により所定長にカットされる。その後、シート状の印画紙３６ｂが搬送路１３により振分部１４に搬送される。振分部１４は、図３に記載の２点鎖線で示すように、シート状の印画紙３６ｂを搬送路１３の中央へ移動させ、その後、搬送路１３により露光部１５へ搬送される。
【００３１】
また、２つの第２マガジン３５から引き出され、所定長にカットされた異種幅のシート状の印画紙３６ａ，３６ｂを、振分部１４によって２列に振分けて（千鳥状に配列して）露光部１５へ搬送しても良い。さらに、露光部１５の露光可能な最大幅Ｗ１（例えば、３１５ｍｍ）以内に収まる異種幅のシート状の印画紙３６ａ，３６ｂの組合せであれば、振分部１４は、図４に記載の１点鎖線で示すように、異種幅のシート状の印画紙３６ａ，３６ｂの間隔を所定間隔ｄ１に詰めて、２列で露光部１５に向けて搬送させ、露光部１５で同時露光しても良い。
【００３２】
また、第２マガジン台５１に装着された２つの第２マガジン３５に、同一幅の印画紙３６が装填されている場合、２つの第２マガジン３５から同時に印画紙３６を引出し、カッタ５５により所定長にカットさせる。その後、搬送路１３によって振分部１４にシート状の印画紙３６ａ，３６ｂが搬送される。振分部１４は、図４に記載の１点鎖線で示すように、シート状の印画紙３６ａ，３６ｂの間隔を所定間隔ｄ１に詰めて、２列搬送で露光部１５に搬送されて同時露光される。この場合は、印画紙３６の引出しと、印画紙３６のカットを２つの第２マガジン３５で同時に行うので、引出し時間、及びカット時間を短縮でき、単位時間当たりのプリント能力を大幅に増大させることが可能である。つまり、使用頻度の高い幅の印画紙を装填すれば、処理枚数を２倍にすることが可能であり、２倍の処理速度で画像を印画紙に記録することが可能である。
【００３３】
前述のように、２つの第２マガジン３５に同一幅の印画紙３６を装填した場合、振分部１４にて、シート状の印画紙３６ａ，３６ｂの幅を所定間隔ｄ１に詰める動作が必要であるが、２つの第２マガジン３５に装填される印画紙３６の幅が狭く、引き出されたシート状の印画紙３６ａ，３６ｂの搬送路１３上での占有幅Ｗ２が、露光部１５の最大露光可能幅Ｗ１内に収まる場合には、シート状の印画紙３６ａ，３６ｂの間隔を詰める必要がないので、図５に記載の点線で示すように、そのままの状態で露光部１５に搬送され、同時露光される。この場合は、振分部１４にてシート状の印画紙３６ａ，３６ｂを幅方向に移動させる動作を省略できる。
【００３４】
前述のように、シート状の印画紙３６ａ，３６ｂが露光部１５に搬送されると、露光部１５は、図示しないフイルムスキャナで写真フイルムの画像を読取ることで得た画像データ、あるいは外部記憶手段としてのメモリカードから読み出された画像データに基づいて、印画紙３６ａ，３６ｂに対して走査露光を行って画像を潜像で記録する。露光済みの印画紙３６ａ，３６ｂは、現像部１６にて発色、現像、漂白定着、及び水洗処理を施され、乾燥部１７によって乾燥される。乾燥後の印画紙３６ａ，３６ｂは、集積部１８に搬送されてプリント注文毎に仕分けされて排紙される。
【００３５】
なお、露光部１５は、画像データに基づいて、印画紙に対して走査露光を行う方式に限らず、写真フイルムの透過光を印画紙に直接焼き付ける直接露光方式でも良い。
【００３６】
前述の作用の説明では、上段に配置された第２マガジン台５１に装着された２つの第２マガジン３５から印画紙３６を供給させる場合について説明を行ったが、中段に配置された第２マガジン台５２に装着された２つの第２マガジン３５から印画紙３６を引き出す場合も同様である。また、上下に配置された第２マガジン３５、例えば、第２マガジン台５１の第１装着位置５１ａ，及び第２マガジン台５２の第１装着位置５２ａに装着された２つの第２マガジン３５から印画紙３６を引き出しても良い。しかし、搬送路１３上で２列搬送させる場合は、対角に配置された第２マガジン３５、例えば、第２マガジン台５１の第１装着位置５１ａ，及び第２マガジン台５２の第２装着位置５２ｂに装着された２つの第２マガジン３５から印画紙３６を引き出すのが好ましい。
【００３７】
また、下段に配置された第１マガジン台５０に装着された第１マガジン３０から印画紙３１を引き出す場合は、印画紙３１を記録する画像サイズに基づいて所定長引き出して、カッタ５５でカットして、振分部１４で幅方向の移動を行わずに、そのままのシート状の印画紙３１を露光部１５に搬送して、第２マガジン３５の場合と同様に画像記録の処理を施す。
【００３８】
前述のように、異種幅の画像記録材料を収納する多数のマガジンを同時に装着できるようにしたので、印画紙のサイズを変更する場合に、マガジンの交換作業を行わなくて済む。また、同一幅の画像記録材料を収納する多数のマガジンを同時に装着できるようにしたので、長時間大量のプリント処理をマガジン交換なしで行うことが可能である。
【００３９】
さらに、幅サイズの小さい印画紙を収納するマガジンのマガジン本体幅を小さくしたので、マガジンの交換作業も容易に行うことができる。また、複数のマガジンを同時に装着できるので、交換用マガジンを少なくできるので、保管スペースを小さくできる。
【００４０】
なお、本実施形態においては、第２のマガジン３５は、幅サイズが１５２ｍｍ以下の印画紙のみを収納可能なサイズにするように説明を行ったが、これに限るものではなく、幅サイズが１０２ｍｍ以下の印画紙のみ、または、幅サイズが１２７ｍｍ（Ｌサイズ）以下の印画紙のみを装填可能となるように、マガジン本体３８の幅をさらに小さく設計しても良い。この場合は、第２マガジン３５を搬送路１３の幅方向に沿って３個以上並べて配置することが可能であり、第２マガジン台５１，５２に３個以上の第２マガジン３５を並べて装着できるように設計すれば良い。この場合は、搬送路１３にて３列以上で印画紙３６を搬送することも可能である。
【００４１】
また、本実施形態においては、第１及び第２マガジン台５０，５１，５２を鉛直方向、すなわち、搬送路１３の幅方向に垂直な方向に沿って３段に配置するように説明したが、これに限るものではなく、２段でも良いし、４段以上配置しても良い。また、図６に示すように、第１マガジン台５０及び第２マガジン台５１，５２の配置方向に対して平行で、搬送路１２を挟んで反対側に、第１マガジン台５８及び第２マガジン台５６を上下２段に並べて配置しても良い。さらに、図７に示すように、第１マガジン台５０及び第２マガジン台５１，５２の配置方向に対して平行で、搬送路１２に対して外側に、第１マガジン台５９及び第２マガジン台５７を上下２段に並べて配置しても良い。このように、搬送路１３の搬送方向に平行、つまり、前述の第１方向及び第２方向に垂直な第３の方向に沿って第１マガジン３０及び第２マガジン３５を複数配置することにより、より多くのマガジンを同時に装着可能となる。
【００４２】
さらに、第１及び第２マガジン台５０，５１，５２をユニット化して保持台５３ａ，５３ｂ，５３ｃに着脱自在に保持されるようにしても良い。この場合、マガジン台の組合せを変化させることにより、オペレータは、様々な組合せを選択可能であり、頻繁に使用する印画紙サイズが変化しても対応可能である。
【００４３】
また、第１マガジン３０は、第２マガジン３５に収納される幅サイズの小さい（１５２ｍｍ以下）の外径３００ｍｍの印画紙ロールを収納できるように設計して、汎用性を持たしても良い。
【００４４】
さらに、本実施形態においては、本発明を感光材料に画像を露光記録するプリンタプロセッサに適用した場合について説明を行ったが、記録方式は特に限られることはなく、インクジェット記録方式、サーマル記録方式、その他の記録方式でも本発明を適用可能である。
【図面の簡単な説明】
【００４５】
【図１】プリンタプロセッサの構成を示す側面概略図である。
【図２】マガジンの構成を示す側面図である。
【図３】供給部の構成を示す斜視図である。
【図４】供給部及びプリンタプロセッサの作用を示す説明図である。
【図５】供給部及びプリンタプロセッサの作用を示す説明図である。
【図６】供給部の変形例を示す側面図である。
【図７】供給部の変形例を示す側面図である。
【符号の説明】
【００４６】
１０  プリンタプロセッサ
１１  供給部
１２，１３  搬送路
１４  振分部
１５  露光部
３０  第１マガジン
３１，３６  印画紙
３５  第２マガジン
５０，５８，５９  第１マガジン台
５１，５２，５６，５７  第２マガジン台
５３ａ〜５３ｃ  保持台
【図１】
2005194053.tif 000003
【図２】
2005194053.tif 000004
【図３】
2005194053.tif 000005
【図４】
2005194053.tif 000006
【図５】
2005194053.tif 000007
【図６】
2005194053.tif 000008
【図７】
2005194053.tif 000009